(57)【要約】【課題】この発明は、地区窓ユニットのそれぞれを、扉に形成された開口部との間で上下方向の位置決めを行ってスナップフィット結合により開口部に取り付けるようにし、現場で地区窓ユニットを簡易に交換できる防災監視盤を得る。【解決手段】地区窓ユニット１０は、複数の地区窓が表面に凹設され、扉３に形成された開口部２０の幅方向長さより長い横長の矩形平板状の表面板１２、表面板１２の裏面に立設された周壁１３に形成された第１係止爪１８および位置決め用突起１７を有する樹脂製の地区窓プレート１１と、表面板１１の裏面に実装された回路基板２９と、を備える。位置決め用凹部２６が、開口部２０の内周面に形成され、地区窓ユニット１０は、位置決め用突起１７を位置決め用凹部２６に嵌合させて、上下方向の移動を規制され、かつ第１係止爪１８を開口部２０に嵌め込んでスナップフィット結合されて扉３に取り付けられている。【選択図】図４
2014041408.tif 000002
【特許請求の範囲】
【請求項１】
矩形の開口部を有する扉が盤本体に開閉可能に取り付けられ、地区窓ユニットが上記開口部に上下方向に複数並んで上記扉に取り付けられている防災監視盤において、
上記地区窓ユニットは、複数の地区窓が表面に凹設され、上記開口部の幅方向長さより長い横長の矩形平板状の表面板、上記表面板の裏面の長さ方向両端側に形成された第１係止爪、および上記表面板の裏面の長さ方向両端側に形成された位置決め用突起又は位置決め用凹部を有する樹脂製の地区窓プレートと、上記表面板の裏面に実装された回路基板と、を備え、
上記位置決め用凹部又は上記位置決め用突起が、上下方向に配列される複数の上記地区窓ユニットのそれぞれの上記位置決め用突起又は上記位置決め用凹部に対応して、上記開口部の幅方向両側の内周面のそれぞれに形成され、
上記地区窓ユニットは、上記扉の表面側から、上記位置決め用突起と上記位置決め用凹部とを嵌合させて、上下方向の移動を規制され、かつ上記第１係止爪を上記開口部に嵌め込んでスナップフィット結合されて上記扉に取り付けられていることを特徴とする防災監視盤。
【請求項２】
上記地区窓プレートは、上記表面板の裏面の外周端の内側に立設されて、外周端に沿って延在する周壁を備え、上記第１係止爪および上記位置決め用突起又は上記位置決め用凹部が上記周壁に一体に形成されていることを特徴とする請求項１記載の防災監視盤。
【請求項３】
上記地区窓プレートは、それぞれ、上記周壁の上下方向の両壁部に一体に形成されて、該地区窓プレートの長さ方向に所定の間隔で複数配設された第２係止爪を備え、
上記第２係止爪のそれぞれに対応して形成された係止穴を有する補強部材が、上記扉の裏面側から上記係止穴に上記第２係止爪を嵌め込んでスナップフィット結合されて、上下方向に隣り合う上記地区窓プレート間に介装されていることを特徴とする請求項２記載の防災監視盤。
【発明の詳細な説明】
【技術分野】
【０００１】
この発明は、火災、ガス漏れ、防犯などに関する受信機からなる防災監視盤に関し、特に、建物内の地区分けされた各監視区域内に設けられた各種の監視設備からの信号に基づいて、各地区の状態、例えば火災、ガス漏れ、防犯などの発生を、対応する窓を用いて表示する地区窓構造に関するものである。
【背景技術】
【０００２】
従来の防災監視盤は、盤本体に対し開閉自在に装着された扉の開口部に、複数に分割された横長の表示パネルユニットを、一方の表示パネルユニットの支持片に形成されたノブを他方の表示パネルユニットの支持片に形成された切り欠きに嵌合させて隣り合う表示パネルユニットの位置決めと連結を行って、上下方向に並べ、ねじ止めされていた（例えば、特許文献１参照）。
【先行技術文献】
【特許文献】
【０００３】
【特許文献１】特開平１０−１２４７６７号公報
【発明の概要】
【発明が解決しようとする課題】
【０００４】
従来の防災監視盤では、上下方向に配列された表示パネルユニットがノブと切り欠きの嵌合により互いに連結されている。そこで、複数の表示パネルユニットの中の１つの表示パネルユニットを交換する場合には、最上位に位置する表示パネルユニットから順に交換対象の表示パネルユニットまでを取り外す必要があり、表示パネルユニットの交換作業性が低下するという課題があった。さらに、表示パネルユニットが扉にねじ止めされているので、現場で表示パネルユニットを取り付ける際には、トルクドライバーなどを用いて締結トルクを管理する必要があり、表示パネルユニットの交換作業性が低下するという課題があった。
【０００５】
この発明は、上記の課題を解決するためになされたものであり、地区窓ユニットのそれぞれを、扉に形成された開口部との間で上下方向の位置決めを行ってスナップフィット結合により開口部に取り付けるようにし、現場で地区窓ユニットを簡易に交換できる防災監視盤を得ることを目的とする。
【課題を解決するための手段】
【０００６】
この発明による防災監視盤は、矩形の開口部を有する扉が盤本体に開閉可能に取り付けられ、地区窓ユニットが上記開口部に上下方向に複数並んで上記扉に取り付けられている。上記地区窓ユニットは、複数の地区窓が表面に凹設され、上記開口部の幅方向長さより長い横長の矩形平板状の表面板、上記表面板の裏面の長さ方向両端側に形成された第１係止爪、および上記表面板の裏面の長さ方向両端側に形成された位置決め用突起又は位置決め用凹部を有する樹脂製の地区窓プレートと、上記表面板の裏面に実装された回路基板と、を備えている。上記位置決め用凹部又は上記位置決め用突起が、上下方向に配列される複数の上記地区窓ユニットのそれぞれの上記位置決め用突起又は上記位置決め用凹部に対応して、上記開口部の幅方向両側の内周面のそれぞれに形成され、上記地区窓ユニットは、上記扉の表面側から、上記位置決め用突起と上記位置決め用凹部とを嵌合させて、上下方向の移動を規制され、かつ上記第１係止爪を上記開口部に嵌め込んでスナップフィット結合されて上記扉に取り付けられている。
【発明の効果】
【０００７】
この発明によれば、地区窓ユニットは、扉の開口部にスナップフィット結合により取り付けられているので、現場での地区窓ユニットの着脱作業時に、トルクドライバーなどを用いて締結トルクを管理する必要がなく、地区窓ユニットの交換作業性が向上される。
地区窓ユニットは、位置決め用突起と位置決め用凹部との嵌合により、上下方向の移動を規制されて扉の開口部に取り付けられているので、交換対象の地区窓ユニットのスナップフィット結合を解除するだけで、交換対象の地区窓ユニットを取り外すことができる。さらに、位置決め用突起と位置決め用凹部とを嵌合させて、スナップフィット結合させるだけで、新しい地区窓ユニットを扉の開口部に取り付けることができる。したがって、他の地区窓ユニットを取り外すことなく、交換対象の地区窓ユニットを取り替えることができ、地区窓ユニットの交換作業性が向上される。
【図面の簡単な説明】
【０００８】
【図１】この発明の実施の形態１に係る防災監視盤を示す斜視図である。
【図２】この発明の実施の形態１に係る防災監視盤の扉を開けた状態を示す斜視図である。
【図３】この発明の実施の形態１に係る防災監視盤の地区窓ユニットの取り付け状態を前面側から見た斜視図である。
【図４】この発明の実施の形態１に係る防災監視盤の地区窓ユニットの取り付け状態を裏面側から見た斜視図である。
【図５】この発明の実施の形態１に係る防災監視盤における扉の要部を示す斜視図である。
【図６】この発明の実施の形態１に係る防災監視盤における地区窓プレートを前面側から見た斜視図である。
【図７】この発明の実施の形態１に係る防災監視盤における地区窓プレートを示す要部斜視図である。
【図８】この発明の実施の形態１に係る防災監視盤における地区窓プレートを裏面側から見た斜視図である。
【図９】この発明の実施の形態１に係る防災監視盤における補強部材を前面側から見た斜視図である。
【図１０】この発明の実施の形態１に係る防災監視盤における地区窓ユニットの取り付け方法を説明する斜視図である。
【発明を実施するための形態】
【０００９】
以下、本発明による防災監視盤の好適な実施の形態につき図面を用いて説明する。
【００１０】
実施の形態１．
図１はこの発明の実施の形態１に係る防災監視盤を示す斜視図、図２はこの発明の実施の形態１に係る防災監視盤の扉を開けた状態を示す斜視図、図３はこの発明の実施の形態１に係る防災監視盤の地区窓ユニットの取り付け状態を前面側から見た斜視図、図４はこの発明の実施の形態１に係る防災監視盤の地区窓ユニットの取り付け状態を裏面側から見た斜視図、図５はこの発明の実施の形態１に係る防災監視盤における扉の要部を示す斜視図、図６はこの発明の実施の形態１に係る防災監視盤における地区窓プレートを前面側から見た斜視図、図７はこの発明の実施の形態１に係る防災監視盤における地区窓プレートを示す要部斜視図、図８はこの発明の実施の形態１に係る防災監視盤における地区窓プレートを裏面側から見た斜視図、図９はこの発明の実施の形態１に係る防災監視盤における補強部材を前面側から見た斜視図、図１０はこの発明の実施の形態１に係る防災監視盤における地区窓ユニットの取り付け方法を説明する斜視図である。
【００１１】
図１乃至図４において、防災監視盤１は、盤本体２と、盤本体２の前面に開閉可能に取り付けられた扉３と、を備えている。盤本体２には、防災監視盤１の監視制御を処理する電気回路部、外部からの信号線（回線）が接続される端子台などが実装された回路基板４が設けられている。扉３には、スピーカ５、各種の操作を行うための操作部６、操作部６を開閉するカバー７、監視区域とその監視区域における監視する設備情報を表示する地区窓ユニット１０などが設けられ、回路基板４などと電気的な接続がなされている。地区窓ユニット１０は、地区窓プレート１１と、地区窓プレート１１の裏面にねじ２８の締着により取り付けられた回路基板２９と、を備え、上下方向に３つ並んで扉３に取り付けられている。
【００１２】
地区窓プレート１１は、例えばＡＢＳ樹脂で成形され、図６乃至図８に示されるように、横長の矩形平板状の表面板１２と、表面板１２の裏面の外周縁部から所定距離内側の入った位置に立設されて全周にわたって延設された矩形枠状の周壁１３と、を備える。地区窓１４が、表面板１２の前面に４行５列に凹設され、地区灯表示窓１５が、各地区窓１４内一側に表面板１２を貫通するように形成されている。ねじタップ付きノブ１６が、表面板１２の裏面に突設されている。位置決め用突起１７が、矩形枠状の周壁１３の短辺で構成される両側壁の外周面に、かつ短辺長さ方向の中央部に２条突設されている。
【００１３】
第１係止爪１８が、矩形枠状の周壁１３の短辺で構成される両側壁に、位置決め用突起１７の両側に位置するように形成されている。第１係止爪１８は、周壁１３の表面板１２との境界部およびその両側をコ字状に切り欠いて形成されて、周壁１３との連結部１８ａを支点として弾性変形可能に構成されている。また、第１係止爪１８の外周面が、連結部１８ａから表面板１２に向かって漸次周壁１３から離反する平坦な第１傾斜面１８ｂと、その後表面板１２に向かってステップ状に周壁１３に近づく第２傾斜面１８ｃと、を備えている。
【００１４】
第２係止爪１９が、矩形枠状の周壁１３の長辺で構成される両側壁に、長辺長さ方向に所定のピッチで複数形成されている。第２係止爪１９は、周壁１３の先端から延設されたビーム部１９ａと、ビーム部１９ａの延出端から外側に突設された爪部１９ｂと、を備えて、ビーム部１９ａの根元部を支点として弾性変形可能に構成されている。
【００１５】
補強部材２１は、図９に示されるように、例えばＡＢＳ樹脂でコ字状に成形され、表面板１２の長辺に略等しい長さの長辺と表面板１２の外周縁部と周壁１３との間の距離の略２倍の長さの短辺からなる矩形平板状の基部２２と、基部２２の長さ方向両端から直角に同じ方向に延設された脚部２３と、を備える。係止穴２４が、基部２２の短辺方向に２列となって長さ方向に所定のピッチで、第２係止爪１９のそれぞれが係止可能に複数形成されている。さらに、補強突起２５が、基部２２の表面に格子状に突設され、基部２２の剛性を高めている。
【００１６】
位置決め用凹部２６が、図５に示されるように、扉３に形成された開口部２０の左右方向の両縁部に、上下方向に所定のピッチで３つずつ凹設されている。
支持板２７は、図４に示されるように、例えば板金で、表面板１２の長辺に略等しい長さを有するコ字状に成形され、一方の脚部２７ｂを開口部２０の下部縁部に沿わせて基部２７ａを扉３の裏面に溶接によって固着して取り付けられている。さらに、支持板２７Ａは、図４に示されるように、例えば板金で、表面板１２の長辺に略等しい長さを有するＬ字状に成形され、一方の脚部２７ｂを開口部２０の上部縁部に沿わせて基部２７ａを扉３の裏面に溶接によって固着して取り付けられている。
【００１７】
地区窓ユニット１０は、回路基板２９が位置合わせされて地区窓プレート１１の裏面に配置され、ねじ２８をねじタップ付きノブ１６に締着して、地区窓プレート１１に固着さされて構成される。そして、回路基板２９に実装された発光ダイオード（図示せず）が地区灯表示窓１５の下部に位置し、発光ダイオードの発光が地区灯表示窓１５から目視可能となっている。
【００１８】
つぎに、このように構成された地区窓ユニット１０を扉３に取り付ける手順について説明する。
【００１９】
まず、地区窓ユニット１０は、図１０に示されるように、周壁１３の短辺で構成される両側壁の外周面に突設された位置決め用突起１７が位置決め用凹部２６に入るように、扉３の前面側から周壁１３側を開口部２０内に押し入れる。この地区窓ユニット１０の挿入動作により、第１傾斜面１８ｂが開口部２０の縁部に当たり、第１係止爪１８は連結部１８ａを支点として周壁１３の内側に曲げられる。そして、開口部２０の縁部との当接部が第１傾斜部１８ｂ上を摺動して第２傾斜面１８ｃに移ると、第１係止爪１８は連結部１８ａを支点として周壁１３の外側に向かって復元する。表面板１２の裏面が、開口部２０の縁部、すなわち扉３の前面に当接すると、それ以上の挿入が阻止される。このとき、第１係止爪１８の弾性変形の復元力が第２傾斜面１８ｃを介して扉３を表面板１２に押圧するように作用する。これにより、地区窓ユニット１０が、扉３にスナップフィット結合され、第１係止爪１８の弾性変形の復元力により扉３に弾性支持される。また、地区窓ユニット１０は、位置決め用突起１７の位置決め用凹部２６への嵌着により、位置決めされ、かつ上下方向の移動を規制される。
【００２０】
地区窓ユニット１０は、このようにして、上下方向に３つ並んで扉３に装着される。なお、開口部２０の最上位置および最下位置に装着された地区窓ユニット１０は、開口部２０への挿入過程で、第２係止爪１９の爪部１９ｂの頭部の傾斜面が支持板２７，２７Ａの脚部２７ｂの延出端に当たり、ビーム部１９ａの根元部を支点として周壁１３の内側に曲げられる。そして、表面板１２の裏面が、扉３の前面に当接する直前で、爪部１９ｂの頭部と脚部２７ｂの延出端との当接がなくなり、第２係止爪１９はビーム部１９ａの根元部を支点として周壁１３の外側に向かって復元する。そして、第２係止爪１９の弾性変形の復元力が爪部１９ｂを介して支持板２７，２７Ａおよび扉３を表面板１２に押圧するように作用する。これにより、開口部２０の最上位置および最下位置に装着された地区窓ユニット１０が、第１および第２係止爪１８，１９の弾性変形の復元力により扉３に弾性支持される。
【００２１】
ついで、図４に示されるように、補強部材２１を扉３の裏面側から上下方向に隣り合う地区窓ユニット１０間に押し入れる。このとき、補強部材２１は、係止穴２４の裏面側縁部が第２係止爪１９の爪部１９ｂの頭部の傾斜面を摺動し、ついで係止穴２４の内周壁面が爪部１９ｂの頭部の外側端部を摺動して、表面板１２側に移動する。これにより、第２係止爪１９は、ビーム部１９ａの根元部を支点として周壁１３の内側に曲げられる。そして、脚部２３が扉３の裏面に当接する直前で、爪部１９ｂの頭部と係止穴２４の内周壁面との当接がなくなり、第２係止爪１９はビーム部１９ａの根元部を支点として周壁１３の外側に向かって復元する。この第２係止爪１９の弾性変形の復元力が爪部１９ｂおよび基部２２を介して脚部２３を扉３の裏面に押圧するように作用する。これにより、補強部材２１が、地区窓プレート１１にスナップフィット結合され、第２係止爪１９の弾性変形の復元力により扉３に弾性支持される。
【００２２】
このように構成された防災監視盤１は、例えば建物の管理室に設置される。そして、各地区窓ユニット１０の各地区窓１４に、監視区域とその監視区域における監視する設備情報が割り振られる。そこで、割り振られた監視区域名とその監視区域における監視する設備情報名を記したプレート（図示せず）が各地区窓１４に装着される。そして、例えば、火災報知設備（例えば、火災感知器）が作動すると、作動した火災報知設備が設置されている監視区域が割り振られた地区窓１４の地区灯表示窓１５の下部に位置する発光ダイオードが点灯される。管理室の監視者は、点灯した地区灯表示窓１５の地区窓１４に装着されたプレートから、その監視区域に火災が発生したことを目視確認できる。
【００２３】
また、回路基板２９が不良となれば、扉３の裏面側から第１および第２係止爪１８，１９による係止を解除し、当該回路基板２９が実装された地区窓ユニット１０を取り外す。そして、上記の操作により、新しい地区窓ユニット１０を扉３に取り付けることになる。
【００２４】
この発明によれば、地区窓ユニット１０が、スナップフィット結合により扉３に取り付けられているので、現場での地区窓ユニット１０の着脱作業時に、トルクドライバーなどを用いて締結トルクを管理する必要がなく、地区窓ユニット１０の交換作業性が向上される。
【００２５】
地区窓ユニット１０は、周壁１３に形成された位置決め用突起１７と開口部２０の内壁面に形成された位置決め用凹部２６との嵌合により、上下方向の移動を規制されて扉３の開口部２０に取り付けられている。そこで、交換対象の地区窓ユニット１０のスナップフィット結合を解除するだけで、交換対象の地区窓ユニット１０を取り外すことができる。さらに、位置決め用突起１７を開口部２０の内壁面に形成された位置決め用凹部２６に嵌合させて、スナップフィット結合させるだけで、新しい地区窓ユニット１０を扉３の開口部２０に取り付けることができる。したがって、他の地区窓ユニット１０を取り外すことなく、交換対象の地区窓ユニット１０を取り替えることができ、地区窓ユニット１０の交換作業性が向上される。
【００２６】
地区窓プレート１１が樹脂製であるので、低コスト化が図られる。
周壁１３が矩形平板状の表面板１２の裏面に立設されて矩形枠状に形成されているので、樹脂製の地区窓プレート１１の剛性が高められる。
補強部材２１が、扉３の裏面側から、係止穴２４に地区窓プレート１１の周壁１３の上下方向両壁部に一体に形成された第２係止爪１９を嵌め入れてスナップフィット結合されて、隣り合う地区窓ユニット１０間に介装されているので、地区窓プレート１１の剛性が高められる。
【００２７】
上下方向に配列されている地区窓プレート１１が同一形状に構成されているので、低コスト化が図られる。
第１係止爪１８が、周壁１３の表面板１２との境界部およびその両側をコ字状に切り欠いて形成されて、周壁１３との連結部１８ａを支点として弾性変形可能に構成され、連結部１８ａから表面板１２に向かって漸次周壁１３から離反する平坦な第１傾斜面１８ｂと、その後表面板１２に向かってステップ状に周壁１３に近づく第２傾斜面１８ｃと、を備えている。そこで、扉３の板厚が変わっても、第１係止爪１８を扉３の表面側から開口部２０から嵌め入れることで、扉３の開口部２０の縁部を表面板１２と第２傾斜面１８ｃとの間に加圧挟持できるので、地区窓プレート１１を扉３の板厚の異なる防災監視盤１に採用できる。地区窓プレート１１の汎用性が高まり、低コスト化が図られる。
【００２８】
なお、上記実施の形態１では、地区窓ユニット１０が上下方向に３つ並んで扉３に装着されているものとしているが、地区窓ユニット１０の上下方向の配列数は３つに限定されず、２つでも、４つ以上でもよい。
【００２９】
また、上記実施の形態１では、地区窓ユニット１０が上下方向に３つ並んで扉３に装着されているものとしているが、監視区域およびその監視区域における監視する設備情報を割り付ける地区窓１４の個数が２つの地区窓ユニット１０で十分な場合には、最下位に位置する地区窓ユニット１０に替えて地区窓のない表面板を用いた空きユニットを装着すればよい。
【００３０】
また、上記実施の形態１では、位置決め用突起１７が周壁１３の短辺で構成される両側壁の外周面の短辺長さ方向の中央部に突設されているものとしているが、周壁１３の短辺で構成される両側壁の外周面における位置決め用突起１７の突設位置を短辺長さ方向の一側に変位させ、位置決め用凹部２６の高さ位置を、位置決め用突起１７にあわせて変えてもよい。この場合、地区窓ユニット１０の誤組み付けがなくなり、地区窓ユニット１０の取り付け作業性が高められる。
【００３１】
また、上記実施の形態１では、補強部材２１を樹脂で作製するものとしたが、金属板で作製されてもよい。
また、上記実施の形態１では、位置決め用突起１７を地区窓プレート１１の周壁１３に形成し、位置決め用凹部２６を扉３の開口部２０の内周面に形成するものとしているが、位置決め用凹部２６を地区窓プレート１１の周壁１３に形成し、位置決め用突起１７を扉３の開口部２０の内周面に形成してもよい。
また、上記実施の形態１では、第１係止爪１８の第２傾斜面１８ｃの外周面がステップ状に形成されているものとしているが、第２傾斜面の外周面は平坦面でもよい。
【符号の説明】
【００３２】
１  防災監視盤、２  盤本体、３  扉、１０  地区窓ユニット、１１  地区窓プレート、１２  表面板、１３  周壁、１４  地区窓、１７  位置決め用突起、１８  第１係止爪、１９  第２係止爪、２０  開口部、２１  補強部材、２４  係止穴、２６  位置決め凹部、２９  回路基板。
【図１】
2014041408.tif 000003
【図２】
2014041408.tif 000004
【図３】
2014041408.tif 000005
【図４】
2014041408.tif 000006
【図５】
2014041408.tif 000007
【図６】
2014041408.tif 000008
【図７】
2014041408.tif 000009
【図８】
2014041408.tif 000010
【図９】
2014041408.tif 000011
【図１０】
2014041408.tif 000012